(57)【特許請求の範囲】
【請求項１】
上部が開口した箱状の本体ケースと、
前記本体ケースの上部開口を覆い、被加熱物を載置可能な光透過性の天板と、
前記天板の下方に配設された加熱手段と、
前記天板と本体ケースとの間に位置し、前記天板の下面を額縁状に支持するベースフレームと、
前記天板の下方に配置されるタッチパネル装置と、
上面を開口した収容部に前記タッチパネル装置を収容して、前記ベースフレームに取り付けられるタッチパネルホルダーと、
前記タッチパネルホルダーの下面の少なくとも一部に接する上面部を有していて前記タッチパネルホルダーを下側から支持する着脱可能な前側カバーと、
前記前側カバーの上面部に形成された上方に向かって起立する支持部と
を備え、
前記タッチパネルホルダーの前側外面に、前方へ向かって突出する爪部を設け、
前記爪部を、前記ベースフレームに形成された壁面の嵌合穴に嵌合させるものであり、
前記前側カバーを前記タッチパネルホルダーに取り付けた状態において、前記支持部が前記爪部の下面に当接して前記爪部を押し上げる
ことを特徴とする加熱調理器。
【請求項２】
前記タッチパネルホルダーの後部を、前記ベースフレームにネジ止めした
ことを特徴とする請求項１に記載の加熱調理器。
【請求項３】
前記ベースフレームの前記嵌合穴を、後上方に向かって傾斜する傾斜面に設けた
ことを特徴とする請求項１又は２に記載の加熱調理器。
【請求項４】
前記タッチパネル装置は、静電容量式であることを特徴とする請求項１〜３のいずれか１項に記載の加熱調理器。
【請求項５】
前記タッチパネル装置は、静電容量式のタッチパネルと、前記タッチパネルの下方に配設されて表示内容を変更可能な表示装置と、を備えた
ことを特徴とする請求項１〜４のいずれか１項に記載の加熱調理器。
【発明の詳細な説明】
【技術分野】
【０００１】
本発明は、天板を介して操作可能なタッチパネルを備えた加熱調理器に関する。
【背景技術】
【０００２】
従来の「本体外郭２１と天板２２とを結合して、システムキッチンのカウンタートップ４０に設置された状態では、弾性体３８の反力により検知基板３７の上面にある第１の電極３７が天板２２の下面に圧接によって固定され」る加熱調理器が提案されている（例えば、特許文献１参照）。
【先行技術文献】
【特許文献】
【０００３】
【特許文献１】特開２００６−１０５４７２号公報（第５頁、図３）
【発明の概要】
【発明が解決しようとする課題】
【０００４】
従来の加熱調理器では、弾性体の反力によってタッチパネルの電極を押し上げて、電極を天板に圧接している。
しかし、電極を天板に押し上げるための弾性体（例えば板バネ）が必要であるとともに、製品化にあたっては弾性体を保持する保持部材も必要となる。すなわち、弾性体やその保持部材などの専用部品が必要であるので、部品コストが高くなるほか、製造時の組立工数の増加にもつながっていた。
【０００５】
本発明は、上記のような課題を解決するためになされたものであり、例えば弾性体などの専用部品を設けることなく、タッチパネルを天板に押し当てることのできる加熱調理器を提供するものである。
【課題を解決するための手段】
【０００６】
本発明に係る加熱調理器は、上部が開口した箱状の本体ケースと、前記本体ケースの上部開口を覆い、被加熱物を載置可能な光透過性の天板と、前記天板の下方に配設された加熱手段と、前記天板と本体ケースとの間に位置し、前記天板の下面を額縁状に支持するベースフレームと、前記天板の下方に配置されるタッチパネル装置と、上面を開口した収容部に前記タッチパネル装置を収容して、前記ベースフレームに取り付けられるタッチパネルホルダーと、前記タッチパネルホルダーの下面の少なくとも一部に接する上面部を有していて前記タッチパネルホルダーを下側から支持する着脱可能な前側カバーと、前記前側カバーの上面部に形成された上方に向かって起立する支持部とを備え、前記タッチパネルホルダーの前側外面に、前方へ向かって突出する爪部を設け、前記爪部を、前記ベースフレームに形成された壁面の嵌合穴に嵌合させるものであり、前記前側カバーを前記タッチパネルホルダーに取り付けた状態において、前記支持部が前記爪部の下面に当接して前記爪部を押し上げるものである。
【発明の効果】
【０００７】
本発明に係る加熱調理器は、タッチパネルホルダーの前側外面に設けられた前方へ向かって突出する爪部を、ベースフレームに形成された壁面に設けられた嵌合穴に嵌合させる。このため、専用の別部材を設けることなく、タッチパネル装置を天板の下面に押し当てることができる。
【図面の簡単な説明】
【０００８】
【図１】実施の形態に係る加熱調理器の斜視図である。
【図２】実施の形態に係る加熱調理器の天板とその周辺構造を示す斜視図である。
【図３】実施の形態に係る加熱調理器の天板とその周辺構造を示す分解図である。
【図４】実施の形態に係る加熱調理器をキッチンに取り付けた状態を示す要部断面図である。
【図５】実施の形態に係る加熱調理器の取り付け状態を説明する要部模式図である。
【発明を実施するための形態】
【０００９】
実施の形態．
本実施の形態では、いわゆるビルトイン式の加熱調理器を例に説明する。このビルトイン式の加熱調理器は、キッチンＫに設けられた開口部に対して上方より挿入されて、キッチンＫのトッププレートと加熱調理器の天面とが略同一面に構成されるようにして使用される加熱調理器である。
図１は実施の形態に係る加熱調理器の斜視図、図２は天板とその周辺構造を示す斜視図、図３は天板とその周辺構造の分解図である。
【００１０】
［加熱調理器の全体構成］
図１〜図３を参照して本実施の形態に係る加熱調理器の全体構成を説明する。
加熱調理器１００は、上面を開口したほぼ直方体の本体ケース１と、本体ケース１の上面開口を覆う天板２を備える。この天板２は、全体が耐熱強化ガラスや結晶化ガラス等の光透過性の材料で構成されていて、天板２の前後左右側縁は外周フレーム１０（詳細は後述する）により保持されている。
本体ケース１の内部には、加熱源として加熱コイル５Ｌ、５Ｒが左右並べて２つ配置されている。天板２の上面には、２つの加熱コイルの大まかな位置を示す円形の案内マーク３Ｌ、３Ｒが、それぞれ印刷などの方法で設けられている。
本体ケース１の内部には、シーズヒータなどの輻射式電気加熱源を備えたグリル加熱室（図示せず）が区画形成されていて、このグリル加熱室の前面開口は、本体ケース１の前面側に設けられたドア６によって開閉自在に覆われている。
本体ケース１の前面側には、加熱調理器１００の主電源をオン／オフする主電源ボタン７と、加熱コイル５Ｌの火力を調整する火力調整ダイアル８Ｌと、加熱コイル５Ｒの火力を調整する火力調整ダイアル８Ｒとが設けられている。
【００１１】
外周フレーム１０は、図３に示すように、天板２の前縁を覆うフロントフレーム１１と、天板２の左右の縁を覆うサイドフレーム１２と、天板２の後縁を覆うバックフレーム１３とを備える。天板２の前後左右の縁と外周フレーム１０との間には、ゴム製パッキンやシール材（図示せず）が介在し、両者は水密状態に固定される。
また、外周フレーム１０に取り付けられた天板２の下側には、ベースフレーム５０が設けられている。
【００１２】
天板２の手前側には、加熱コイル５Ｌ、５Ｒやグリル加熱室の加熱源の加熱／停止の信号、加熱温度、加熱モード設定など各種信号の入力を受け付けるとともに、加熱温度や動作状態などを表示するタッチパネル式の操作表示部４が設けられている。
操作表示部４は、光透過性の天板２の下側に配置されたタッチパネル装置６０と、このタッチパネル装置６０を保持するタッチパネルホルダー７０とを備えている。
【００１３】
タッチパネル装置６０は、いわゆる静電容量方式のタッチパネルであり、例えば液晶画面などの表示装置の上に、座標入力のための透明電極が重ねられて構成されている。表示装置には、加熱調理器１００の運転状態や加熱モードなどに応じて、例えば加熱／停止や温度上昇／低下などを示す文字や画像が切り替え表示されて、使用者の指によるタッチを促す。使用者が天板２の操作表示部４の部分に触れると、タッチパネル装置６０は、天板２を介して使用者の指と透明電極との間に形成される静電容量の変化を検出し、これに基づいて使用者の指によりタッチされた位置を検出する。そして、タッチパネル装置６０が検出した位置情報は制御部（図示せず）に伝えられ、制御部はその位置情報に応じた制御処理を行う。
【００１４】
タッチパネルホルダー７０は、タッチパネル装置６０を収容する部材である。タッチパネルホルダー７０は、タッチパネル装置６０を天板２側に向かって押し上げ、天板２とタッチパネル装置６０との間の所定距離を保つ。
タッチパネルホルダー７０によりタッチパネル装置６０を天板２の下側に組み付けると、使用者は、光透過性の天板２を介してタッチパネル装置６０の表示装置に表示された文字や画像などを見ることができる。
【００１５】
前側カバー３０は、本体ケース１の前面側かつタッチパネルホルダー７０の下側に取り付けられるカバーである。前側カバー３０は、キッチンＫの開口部に加熱調理器１００を挿入したとき、キッチンＫの開口部の壁面と接して加熱調理器１００を保護する。
【００１６】
［タッチパネル装置等の取り付け構造］
図４は、加熱調理器１００をキッチンＫに取り付けた状態を示す要部断面図である。図５は、タッチパネル装置６０及びその周辺部材の取り付け状態を説明する図である。
以下、図３〜図５を参照し、タッチパネル装置等の取り付けに関する構造と、取り付け状態を説明する。
【００１７】
タッチパネルホルダー７０は、上面を開口した浅い箱形の収容部７１を備えていて、この収容部７１の中にタッチパネル装置６０を収容する。収容部７１の前面の外面には、前方へ向かって突出する複数の爪部７２が、横幅方向に所定間隔をおいて設けられている。また、収容部７１の背面の外面側には、後方に向かって突出する平板状の部材にネジ穴が設けられて構成された複数のネジ止め部７３が、横幅方向に所定間隔をおいて設けられている。
【００１８】
前側カバー３０は、上面部３１と、上面部３１の後端から下方に向かって折り曲げ形成された背面部３２と、背面部３２の下端から前方に向かって折り曲げ形成された底面部３３とを備える。図４に示すように、前側カバー３０は縦断面において前面を開口したほぼ矩形状であり、上面部３１及び底面部３３は取り付け状態においてほぼ水平となる。なお、底面部３３の前端の方が、上面部３１の前端よりも前方に張り出している。
また、上面部３１の前端を上方に向かって折り曲げ形成した支持部３４が設けられている。前側カバーの左右両端の背面側には、ネジ穴が形成された背面ネジ穴３５が設けられている。
【００１９】
ベースフレーム５０は、大まかには額縁形状を有し（図３参照）、天板２と本体ケース１との挟まれた位置に配置されていて、天板２の下面を額縁状に支持している。ベースフレーム５０の外周端は、ほぼ全周にわたって上方に折り曲げられて外周壁５１が形成されている。この外周壁５１の内側に、天板２を収容可能になっている。
ベースフレーム５０の前側の枠において、外周壁５１の内側に位置する前端平面部５４を介して、斜め後ろ上方に向かって傾斜する傾斜面５２が形成されている（図４参照）。傾斜面５２の上端に連なる平面部には、タッチパネル装置６０と平面視ほぼ同面積でタッチパネル装置６０を嵌合可能な窓部５６が形成されている。
【００２０】
また、ベースフレーム５０の額縁形状前側の内周端近傍には、タッチパネルホルダー７０のネジ止め部７３に対応するネジ止め部５５が設けられている。
さらに、ベースフレーム５０の傾斜面５２には、タッチパネルホルダー７０の爪部７２に対応する位置に、この爪部７２を嵌合可能な貫通口である、複数の斜面穴５３が設けられている。
【００２１】
本体連結板４０は、タッチパネルホルダー７０の左右両側に各々取り付けられていて、ベースフレーム５０と、タッチパネルホルダー７０と、前側カバー３０と、本体ケース１とを結合するための部品である。本体連結板４０は、図５に示すように、上面部４１と背面部４２とを有する側面視ほぼ鉤型形状である。本体連結板４０の背面部４２には、前側カバー３０の背面ネジ穴３５に対応する背面ネジ穴４３が設けられている。
【００２２】
次に、タッチパネル装置６０、タッチパネルホルダー７０、ベースフレーム５０、及び前側カバー３０等の取り付けについて説明する。
まず、ベースフレーム５０の下面側に、本体連結板４０を溶接、あるいはカシメにて取り付ける。次に、本体連結板４０が取り付けられたベースフレーム５０に、シリコン系接着部材（ＲＴＶ）を塗布し、天板２を載置して接着する。次に、バックフレーム１３、サイドフレーム１２、及びフロントフレーム１１にそれぞれシリコン系接着部材（ＲＴＶ）を塗布し、天板２の外周に順次接着する。このとき、バックフレーム１３を、ベースフレーム５０に対してネジ（図示せず）により締結することで、接着をより強固にできる。なお、前記のようにシリコン系接着部材（ＲＴＶ）で接着した構成部材の接着箇所は、所定の硬化時間を経て硬化させてから、次の取り付け工程に進むようにする。
【００２３】
タッチパネル装置６０は、タッチパネルホルダー７０の収容部７１内に収容され、例えば両面テープのような両面に接着面を備えた接着部材により、収容部７１内に接着される。
次に、タッチパネル装置６０が取り付けられたタッチパネルホルダー７０の複数の爪部７２を、爪部７２と同数になるように設けられたベースフレーム５０の斜面穴５３にそれぞれ挿入する（図５の矢印線参照）。そして、タッチパネルホルダー７０に設けられたネジ止め部７３と、ベースフレーム５０に設けられたネジ止め部５５を、ネジ（図示せず）を用いて締結する。このようにすると、タッチパネル装置６０が取り付けられたタッチパネルホルダー７０と、ベースフレーム５０とが連結される。
なお、爪部７２やネジ止め部７３の数を特に限定するものではないが、タッチパネルホルダー７０の左右幅を考慮し、タッチパネルホルダー７０をベースフレーム５０に取り付けたときにぐらつきが生じないような数だけ設けるのがよい。
【００２４】
次に、本体ケース１に取り付けられた前側カバー３０を、タッチパネルホルダー７０の下側にあてがう。そして、手前から順に、本体連結板４０の背面ネジ止め部４４、前側カバー３０の背面ネジ穴３５、本体ケース１のネジ止め部（図示せず）の順に重ねて、ネジ（図示せず）により止める。このようにすると、タッチパネルホルダー７０と前側カバー３０と本体ケース１とが連結される。このとき、前側カバー３０の前端を上方に向かって折り曲げて形成された支持部３４の上端が、タッチパネルホルダー７０の爪部７２の下面に接触し、タッチパネルホルダー７０を上方（即ち、天板２側）に押し上げる。
【００２５】
このように組み立てられた加熱調理器１００は、キッチンＫに設けられた開口部に上方から挿入されて使用される。キッチンＫの開口部に挿入されると、図４に示すように、前側カバー３０の上面部３１の下面がキッチンＫの天面に接し、前側カバー３０の背面部３２の前面がキッチンＫの開口部の壁面と接することとなる。
【００２６】
このように、本実施の形態に係る加熱調理器１００によれば、天板２の下側に配置されるタッチパネル装置６０と、タッチパネル装置６０を収容してベースフレーム５０に取り付けられるタッチパネルホルダー７０とを備え、タッチパネルホルダー７０の前側外面に設けた前方へ向かって突出する爪部７２を、ベースフレーム５０の前側に形成した嵌合穴である斜面穴５３に嵌合させた。このため、専用の別部材を設けることなく、タッチパネル装置６０を天板２の下面に押し当てることができる。
【００２７】
また、タッチパネルホルダー７０の後部に設けたネジ止め部７３と、ベースフレーム５０のネジ止め部５５とをネジ止めした。このため、タッチパネルホルダー７０とベースフレーム５０との結合が強固となり、タッチパネル装置６０を天板２の下面に押し当てることができる。
また、前側カバー３０の上面部３１の前端に、上方に向かって起立する支持部３４を設けた。そして、前側カバー３０をタッチパネルホルダー７０の下側に取り付けると、支持部３４の上端がタッチパネルホルダー７０の爪部７２下面に当接して押し上げる。このため、タッチパネル装置６０を天板２の下面に向かって押し上げることができる。
【００２８】
このように、タッチパネル装置６０を天板２の下面に押し当てることで、タッチパネル装置６０と天板２との距離を短くすることができる。
ここで、静電容量式のタッチパネルは、電極と使用者の指等の間に形成される静電容量の変化を検出するものであり、指と電極までの距離ｄが大きいと静電容量変化ΔＣが小さくなるという特性を持つ（ΔＣ＝ε×Ｓ／ｄ。ただし、εは誘電率、Ｓは電極面積）。このため、静電容量変化の検出精度を高く維持するためには、使用者の指が触れる部位（天板２）と、電極までの距離ｄを短くする必要がある。
上述したように、本実施の形態に係る加熱調理器によれば、操作表示部４を操作する使用者の指とタッチパネル装置６０を構成する電極との距離を短くすることができるので、タッチパネルの静電容量変化の検出精度を高精度に維持することができる。
【００２９】
また、上記特許文献１のように、本体ケース側に設けた弾性体の反力により電極を天板に押し当てる構成の場合、本体ケースを基準にして電極を上側に持ち上げることとなる。この場合、弾性体の反力のばらつきにより電極と天板との距離に個体差が出たり、弾性体の反力の弱まりにより電極と天板との距離が離れてぐらついたりといったことが考えられる。こうなると、静電容量変化の検出精度にばらつきが生じうる。
しかし、本実施の形態によれば、爪部７２と斜面穴５３との嵌合構造により、タッチパネル装置６０を収納したタッチパネルホルダー７０を、ベースフレーム５０の左右方向にわたってほぼ均一に固定することができ、この状態を維持できる。したがって、タッチパネルと天板２との距離が離れることによる、タッチパネルの検出精度の低下を抑制することができる。
【００３０】
また、本実施の形態では、ベースフレーム５０の傾斜面５２に斜面穴５３を形成し、この斜面穴５３にタッチパネルホルダー７０の爪部７２を嵌合させるようにした。一般に、金属板を用いてベースフレーム５０のような凹凸のある部材を製作する際には、まず、板金に必要な穴等を開け、その後、金型を用いて絞り加工を行って凹凸を形成する。例えば、本実施の形態に係るベースフレーム５０を製作する場合には、板金に斜面穴５３となる穴を開け、その後、絞り加工により傾斜面５２を形成することとなる。このように穴を開けた後に絞り加工を行うと、一般的には穴の寸法公差が大きくなる。したがって、爪部７２を斜面穴５３に嵌合させたときに、爪部７２が斜面穴５３内で上下方向に遊動するおそれがある。
しかし、本実施の形態では、前側カバー３０の支持部３４を爪部７２の下面に当接させて爪部７２を押し上げるようにしたので、斜面穴５３の寸法公差が大きい場合でも、タッチパネル装置６０をより確実に天板２側に押し当てることができ、タッチパネルの静電容量変化の検出精度を高めることができる。
【００３１】
なお、本実施の形態では、タッチパネルと表示装置によりタッチパネルユニットを構成し、表示装置により文字や画像を可変表示するものとして説明した。しかし、例えば表示装置を設けず、使用者の操作を促す文字や画像を天板に印刷してもよい。
【符号の説明】
【００３２】
１  本体ケース、２  天板、３Ｌ、３Ｒ  案内マーク、４  操作表示部、５Ｌ、５Ｒ  加熱コイル、６  ドア、７  主電源ボタン、８Ｌ、８Ｒ  火力調整ダイアル、１０  外周フレーム、１１  フロントフレーム、１２  サイドフレーム、１３  バックフレーム、３０  前側カバー、３１  上面部、３２  背面部、３３  底面部、３４  支持部、３５  背面ネジ穴、４０  本体連結板、４１  上面部、４２  背面部、４３  背面ネジ穴、５０  ベースフレーム、５１  外周壁、５２  傾斜面、５３  斜面穴、５４  前端平面部、５５  ネジ止め部、６０  タッチパネル装置、７０  タッチパネルホルダー、７１  収容部、７２  爪部、７３  ネジ止め部、１００  加熱調理器、Ｋ  キッチン。
【図１】
0005424950.tif 000002
【図２】
0005424950.tif 000003
【図３】
0005424950.tif 000004
【図４】
0005424950.tif 000005
【図５】
0005424950.tif 000006